(57)【要約】      （修正有）【課題】一般家庭でキリタンボをガスコンロや電熱ヒーターを使用して効率的にかつ綺麗に焼き上げるキリタンポ焼き器具を提供する。【解決手段】キリタンポ焼き器具は、秋田杉木材から棒串状に形成された杉串Ａに巻き付けたキリタンポＢを横置き水平状に片持ち保持する本体部１と、該本体部１に片持ち保持されたキリタンポＢの上方空間を被い、本体部１に蝶番２を介して開閉自在に連結された蓋体３とから構成される。本体部１は、キリタンポＢを横置き状に多数収容する直方体形状の有底函体４と、有底函体４の正面側に有底函体４の正面壁と平行に杉串Ａを支える間隔で設けた串支承枠５とから構成される。前記蓋体３は、前記本体部１の上部開口を被い、本体部１と対称に形成された直方体形状の有蓋函体１１からなり、左右側壁のいずれか一方には蓋体３を開閉するための耐熱断熱性の開閉取手１２を設ける。【選択図】図１
0003113927.tif 000002
【実用新案登録請求の範囲】
【請求項１】
杉串Ａに巻き付けたキリタンポＢを横置き水平状に片持ち保持する本体部と、該本体部に片持ち保持されたキリタンポＢの上方空間を被い、前記本体部に開閉自在に連結された蓋体とから構成され、前記本体部は、金属製からなり、キリタンポＢを横置き状に多数収容する直方体形状の有底函体と、該有底函体の正面側に前記有底函体の正面壁と平行に杉串Ａを支える間隔で設けた串支承枠とからなり、前記蓋体は、金属製からなり、前記本体部の上部開口を被い、前記本体部と対称に形成された直方体形状の有蓋函体からなり、左右側壁のいずれか一方には前記蓋体を開閉するための耐熱断熱性の開閉取手を設けたことを特徴とするキリタンポ焼き器具。
【請求項２】
前記有底函体の正面壁には、杉串Ａが嵌合するＵ溝が等間隔で設けられ、前記串支承枠には、前記Ｕ溝に対向してＵ溝２個分の幅で長孔を形成し、該長孔の中央上部に上方に開通する通し溝を形成したことを特徴とする請求項１記載のキリタンポ焼き器具。
【考案の詳細な説明】
【技術分野】
【０００１】
本考案は、一般家庭でキリタンボを効率的にかつ綺麗に焼き上げるキリタンポ焼き器具に関する。
【背景技術】
【０００２】
秋田県の郷土食品にキリタンポがあり、これは白米を半潰し状態に捏ねたものを秋田杉で形成された串に米飯をタンポ（稽古用槍先につけた綿布で形成されたもの）状に竹輪を形成するように盛り付けた串付きタンポを形成し、この串付きタンポを囲炉裏で焼き上げた串焼きタンポをキリタンポと称している。
近年、一般家庭でキリタンポを焼き上げる場合は、ガスコンロや電熱ヒーターを使用して焼網の上に直接キリタンポを載せていたため、キリタンポが焼網に焦げ付いたり、斑（むら）ができたりしてキリタンポの焼き上がり面が綺麗にできなかった。
【０００３】
【特許文献１】登録実用新案第３０６０３６６号公報
【考案の開示】
【考案が解決しようとする課題】
【０００４】
本考案は、一般家庭でキリタンボをガスコンロや電熱ヒーターを使用して効率的にかつ綺麗に焼き上げるキリタンポ焼き器具を提供するものである。
【課題を解決するための手段】
【０００５】
本考案のキリタンポ焼き器具は、杉串Ａに巻き付けたキリタンポＢを横置き水平状に片持ち保持する本体部と、該本体部に片持ち保持されたキリタンポＢの上方空間を被い、前記本体部に開閉自在に連結された蓋体とから構成され、前記本体部は、金属製からなり、キリタンポＢを横置き状に多数収容する直方体形状の有底函体と、該有底函体の正面側に前記有底函体の正面壁と平行に杉串Ａを支える間隔で設けた串支承枠とからなり、前記蓋体は、金属製からなり、前記本体部の上部開口を被い、前記本体部と対称に形成された直方体形状の有蓋函体からなり、左右側壁のいずれか一方には前記蓋体を開閉するための耐熱断熱性の開閉取手を設けたものである。
前記有底函体の正面壁には、杉串Ａが嵌合するＵ溝が等間隔で設けられ、前記串支承枠には、前記Ｕ溝に対向してＵ溝２個分の幅で長孔を形成し、該長孔の中央上部に上方に開通する通し溝を形成したものである。
【考案の効果】
【０００６】
本考案のキリタンポ焼き器具によれば、一般家庭でキリタンボをガスコンロや電熱ヒーターを使用して効率的にかつ綺麗に焼き上げることができる。
【考案を実施するための最良の形態】
【０００７】
本発明のキリタンポ焼き器具の一実施例を図面に基づいて、以下に説明する。
図１は本発明のキリタンポ焼き器具の全体斜視図、図２は同キリタンポ焼き器具の平面図、図３は同キリタンポ焼き器具の正面図である。
本発明のキリタンポ焼き器具は、秋田杉木材から棒串状に形成された杉串Ａに巻き付けたキリタンポＢを横置き水平状に片持ち保持する本体部１と、該本体部１に片持ち保持されたキリタンポＢの上方空間を被い、前記本体部１に蝶番２を介して開閉自在に連結された蓋体３とから構成される。
前記本体部１は、金属製からなり、キリタンポＢを横置き状に多数収容する直方体形状の有底函体４と、該有底函体４の正面側に前記有底函体４の正面壁と平行に杉串Ａを支える間隔で設けた串支承枠５とから構成される。
前記有底函体４の正面壁には杉串Ａが嵌合するＵ溝６が等間隔で設けられ、図１では４個のＵ溝６が形成されているがこれに限らず、Ｕ溝６の数は必要に応じて適宜設計変更することができる。
また、前記有底函体４の両側には、左右側壁を内側に折り曲げて前記蓋体３を載せる水平状の載せ枠７を形成する。
さらに、前記有底函体４の底部には、ガスコンロや電熱ヒーターの熱気を前記有底函体４に取り入れるため、図１に点線で示すように熱源取り入れ穴８を設ける。
また、前記串支承枠５には、前記Ｕ溝６に対向してＵ溝２個分の幅で長孔９を形成し、該長孔９の中央上部に上方に開通する通し溝１０を形成する。
したがって、図１に示すように前記Ｕ溝６に対向する前記串支承枠５の長孔９上部には杉串Ａを押さえる部材が形成される。
なお、図１のＵ溝２個分の長孔９に限らず、前記Ｕ溝６に対向してＪ字状に形成されたＪ字溝（図示せず）であってもよい。
前記蓋体３は、金属製からなり、前記本体部１の上部開口を被い、前記本体部１と対称に形成された直方体形状の有蓋函体１１からなり、図２に示すように左右側壁のいずれか一方には前記蓋体３を開閉するための耐熱断熱性の開閉取手１２を設ける。
前記蓋体３の天井面には、キリタンポＢが位置する個所にのぞき窓１３を空け、図２では２個同時に覗けるのぞき窓１３を空けているがこれに限らず、のぞき窓１３は必要に応じて位置、形状及び個数を適宜設計変更することができる。
【０００８】
次に、本発明のキリタンポ焼き器具の使用操作について、以下に図面に基づいて説明する。
図１の斜視図にはすでにキリタンポＢが本体部１に収容されている状態を示している。
キリタンポＢの収容の仕方としては、キリタンポＢを巻き付けている杉串Ａを片手で持ち、他方の手で開閉取手１２を持ち上げて蓋体３を開放させる。
そして、キリタンポＢを本体部１内に収容させつつ、杉串Ａを本体部１の正面壁のＵ溝６に嵌合させて、手前側の串支承枠５の通し溝１０を介して杉串Ａを長孔９の奥に収納させる。
なお、Ｊ字溝の場合も同様にしてＪ字溝の奥に収納させることができる。
前記杉串Ａ側よりキリタンポＢ側が重くなって重心がずれているが、杉串Ａは長孔９奥で串支承枠５の長孔９上部に押さえられるので、キリタンポＢは前記本体部１の横置き水平状に空中に浮いた状態で片持ち保持される。
全てのキリタンポＢを横置き水平に空中に浮いた状態で並べたら、開閉取手１２を降ろして蓋体３を本体部１の載せ枠７に載置させて、蓋体３を閉じる。
蓋体３を閉じた状態は、図２及び図３に示され、この状態でガスコンロや電熱ヒーターに載せる。
なお、予めガスコンロや電熱ヒーターに載せたキリタンポ焼き器具で上記操作を行うことも可能である。
ガスコンロや電熱ヒーターの熱源は、熱源取り入れ穴８から本体部１のキリタンポＢに供給され、のぞき窓１３から抜けて行くので、流通される熱気でキリタンポＢを効率的に焼くことができる。
焼いている途中で、キリタンポＢに焦げ目がついたら、杉串Ａを自転させてキリタンポＢの生面を熱源側に向けて綺麗に焼くことができる。
なお、上手に焼くには、頻繁に杉串Ａを一方向に回転させてキリタンポＢ全体に均一な焦げ目を付けるようにすれば良い。
キリタンポＢが焼きあがったら、開閉取手１２を持ち上げて蓋体３を開放させ、杉串Ａを掴んで先程とは逆に杉串Ａを長孔９の通し溝１０を介して串支承枠５から外して適当な容器、例えば皿等に移せばよい。
【図面の簡単な説明】
【０００９】
【図１】本発明のキリタンポ焼き器具の斜視図である。
【図２】本発明のキリタンポ焼き器具の平面図である。
【図３】本発明のキリタンポ焼き器具の正面図である。
【符号の説明】
【００１０】
１  本体部
２  蝶番
３  蓋体
４  有底函体
５  串支承枠
６  Ｕ溝
７  載せ枠
８  熱源取り入れ穴
９  長孔
１０  通し溝
１１  有蓋函体
１２  開閉取手
１３  のぞき窓
【図１】
0003113927.tif 000003
【図２】
0003113927.tif 000004
【図３】
0003113927.tif 000005